(57)【要約】【課題】電話着信時に外部機器と通信するか否かを設定することができる映像処理装置及び映像処理方法を提供する。【解決手段】モニターへの連動設定を行う連動設定部と、IP電話着信処理を行う電話処理部と、前記連動設定に基づいて前記モニターへの映像指示を行う表示処理部とを備えた映像処理装置。また、モニターへの連動設定を行い、IP電話着信処理を行い、前記連動設定に基づいて前記モニターへの映像指示を行う表示処理を行う映像処理方法。【選択図】  図３
2013098752.tif 000002
【特許請求の範囲】
【請求項１】
モニターへの連動設定を行う連動設定部と、
IP電話着信処理を行う電話処理部と、
前記連動設定に基づいて前記モニターへの映像指示を行う表示処理部とを
備えた映像処理装置。
【請求項２】
前記映像指示は、前記モニターへの映像入力を前記映像処理装置側に切り換えるものである請求項１に記載の映像処理装置。
【請求項３】
前記映像指示は、前記モニターへの映像入力を前記映像処理装置側に切り換えることをユーザーに打診するメッセージを送るものである請求項１に記載の映像処理装置。
【請求項４】
更に前記モニターを備えた請求項１に記載の映像処理装置。
【請求項５】
モニターへの連動設定を行い、IP電話着信処理を行い、前記連動設定に基づいて前記モニターへの映像指示を行う表示処理を行う映像処理方法。
【発明の詳細な説明】
【技術分野】
【０００１】
本発明の実施形態は、IP電話機能搭載機器などの着信を制御する映像処理装置及び映像処理方法に関する。
【背景技術】
【０００２】
音声通話及びデータ通信の少なくとも一方の着信時に、着信を報知する情報を含む着信情報信号をＨＤＭＩ規格に準拠させて生成し、ＨＤＭＩ規格に準拠した信号伝送が可能な外部機器と通信し、前記着信情報信号を前記外部機器に出力する携帯電話機なるものがある（例えば、特許文献１参照。）。
【０００３】
しかしながらこれは着信時に外部機器と通信する携帯電話に関するもので、更に着信時に外部機器と通信するか否かを設定する機能への要望があるが、かかる要望を実現するための手段に関しては開示されていない。
【０００４】
制御等の設定を設けることより、例えばIP電話機能着信時の機器間の制御を自動的に行うことが求められている。
【先行技術文献】
【特許文献】
【０００５】
【特許文献１】特開２００９−１８８７８２号公報
【発明の概要】
【発明が解決しようとする課題】
【０００６】
本発明の実施の形態は、電話着信時に外部機器と通信するか否かを設定することができる映像処理装置及び映像処理方法を提供することを目的とする。
【課題を解決するための手段】
【０００７】
上記課題を解決するために、実施形態によれば映像処理装置は、モニターへの連動設定を行う連動設定部と、IP電話着信処理を行う電話処理部と、前記連動設定に基づいて前記モニターへの映像指示を行う表示処理部とを備える。
【発明の効果】
【０００８】
発明の効果は特には記載しない。
【図面の簡単な説明】
【０００９】
【図１】この発明の一実施形態を示す機能ブロック構成図。
【図２】同実施形態の実施例1の設定例を示す図。
【図３】同実施形態の実施例1のフローチャート。
【図４】同実施形態の実施例2の設定例を示す図。
【図５】同実施形態の実施例2のフローチャート。
【図６】一実施形態にかかるシンク機器の映像処理装置とこれに接続されるソース機器の映像処理装置をもつ映像処理システムの一例を示すブロック図。
【図７】一実施形態にかかる映像処理装置が有しているＨＤＭＩ端子の信号名を示す説明図。
【図８】一実施形態にかかるソース機器である映像処理装置の構成の一例を示すブロック図。
【発明を実施するための形態】
【００１０】
以下、本発明の一実施形態を説明する。
（第１の実施形態）
第１の実施形態を図を参照して説明する。
＜一実施形態である映像処理システムの構成の一例＞
ソース機器３０等が示される、一実施形態である映像処理システムの構成の一例を図面を用いて説明する。先に図６は、実施形態にかかるシンク機器２０の映像処理装置とこれに接続されるソース機器３０の映像処理装置をもつ映像処理システムの一例を示すブロック図である。
【００１１】
一実施形態である映像処理システム１は、図６に示すように、ＨＤＭＩケーブル３０１で接続されたシンク機器２０とソース機器３０を有している。なお、ＨＤＭＩケーブル３０１は、映像音声信号の専用線３０２と、制御信号の専用線３０３をもっており、一例として、映像音声信号の専用線３０２は制御信号の専用線３０３より高速に通信を行なう。
【００１２】
シンク機器２０は、ソース機器３０からの映像音声情報を表示し出力するための機器であり、具体的には後述のテレビ等である。ソース機器３０は、映像音声情報をシンク機器２０へ供給するための機器であり、具体的には、ＤＶＤプレーヤあるいは後述のレコーダ等である。
【００１３】
シンク機器２０は、中央演算装置である制御部１３０を持ち、制御部１３０は、記憶部１３１と、ＥＤＩＤ変更部１１１−１を含む通信部１１１と、表示部１４１と、操作部１３２の制御を行う。記憶部１３１は、シンク機器２０自体の制御プログラムや音量・映像表示設定等（後述する）の各種設定情報を記憶する部分であり、具体的にはフラッシュメモリやハードディスクドライブ等である。
【００１４】
通信部１１１は、ソース機器３０からの映像・音声信号を受信するとともに、ソース機器３０を制御するためのコマンドを送信したり、ソース機器３０側からのコマンドを受信したりする部分である。具体的には、ＨＤＭＩ（High-Definition Multimedia Interface）や、有線ＬＡＮ（Local Area Network）、無線ＬＡＮ、Ｂｌｕｅｔｏｏｔｈ（登録商標）等である。ＨＤＭＩの場合は、制御コマンドの送受信にＣＥＣ（Consumer Electronics Control）ラインを用いる。
【００１５】
表示部１４１は、機器制御のためのメニュー画面やソース機器３０からの映像を表示したり音声再生を行う部分であり、具体的には、液晶パネルやスピーカ等である。
【００１６】
一方、ソース機器３０は、中央演算装置である制御部２３０を持ち、制御部２３０は、記憶部２３３、通信部２１１、操作部２３２の制御を行う。記憶部２３３は、ソース機器３０自体の制御プログラムや音量・映像表示設定等の各種設定情報を記憶したり、映像・音声信号を保持したりしている部分であり、具体的にはフラッシュメモリやハードディスクドライブ、ＤＶＤドライブ等である。
【００１７】
通信部２１１は、シンク機器２０へ映像・音声信号を送信するとともに、シンク機器２０を制御するためのコマンド（制御信号）を送信したり、シンク機器２０側からのコマンド（制御信号）を受信したりする部分である。ソース機器３０を制御するためのメニュー画面も、通信部２１１を経由した映像信号としてシンク機器２０へ送られる。シンク機器２０側の通信部１１１と接続可能なインタフェース規格で実装されている部分であり、具体的にはＨＤＭＩ、有線ＬＡＮ（Local Area Network）、無線ＬＡＮ、Ｂｌｕｅｔｏｏｔｈ（登録商標）等である。
【００１８】
・ＨＤＭＩ端子
図７は、本発明の一実施形態にかかる映像処理装置が有しているＨＤＭＩ端子の信号名を示す説明図である。
通信部１１１，２１１がＨＤＭＩである場合、ＨＤＭＩ端子は、図７に示すようなコネクタピン配列を有している。特に１３ピンのＣＥＣ信号によって、ＨＤＭＩ−ＣＥＣプロトコルに準拠して定義されたコマンドを送受信することで、相手機器の制御が可能となる。
【００１９】
＜一実施形態である映像処理システムの具体的な一例＞
次に、上述した映像処理システムの具体的な一例を図面を用いて以下に紹介する。図８は、一実施形態にかかるソース側の映像処理装置の構成の一例を示すブロック図である。
【００２０】
・ソース機器３０
ソース機器３０は、図８に示すように、一例として、ＤＶＤを扱うハードディスクレコーダである。ソース機器３０は、図８に示すように、２種類のディスクドライブ部を有する。まず、ビデオファイルを構築できる情報記録媒体である第１のメディアとしての光ディスクＤを回転駆動し、情報の読み書きを実行する光ディスクドライブ部２１９を有する。ここで、光ディスクＤは、一例として、ＤＶＤであるがこれに限定されるものではない。又、第２のメディアとしてのハードディスクを駆動するハードディスクドライブ部２１８を有する。制御部２３０は、全体の動作を司るべくデータバスを介して各部に接続されている。
【００２１】
又、図８に示されるソース機器３０は、録画側を構成するエンコーダ部２２１と、再生側を構成するＭＰＥＧデコーダ部２２３と、装置本体の動作を制御する制御部２３０とを主たる構成要素としている。ソース機器３０は、入力側のセレクタ部２１６と出力側のセレクタ部２１７とを有しており、入力側のセレクタ部２１６には、ＬＡＮ等の通信部２１１と、いわゆる衛星放送（ＢＳ／ＣＳ）チューナ部２１２と、いわゆる地上波チューナ部２１３とが接続され、エンコーダ部２２１に信号を出力する。又、衛星放送チューナ部２１２には衛星アンテナが、地上波チューナ部２１３には地上波アンテナが接続される。
【００２２】
又、ソース機器３０は、エンコーダ部２２１と、エンコーダ部２２１の出力を受け、データ編集等の所望のデータ処理を行うデータ編集部２２０と、データ編集部２２０に接続されるハードディスクドライブ部２１８と、光ディスクドライブ部２１９を有している。更に、ソース機器３０は、ハードディスクドライブ部２１８と、光ディスクドライブ部２１９からの信号を受けてデコードするＭＰＥＧデコーダ部２２３と、エンコーダ部２２１と、バッファ部２２２と、ＭＰＥＧデコーダ部２２３と、多重化部２２８と、分離部２２９と、制御部２３０と、映像画面に所望の映像を合成するＯＳＤ部２３４と、予約リストや番組表画像を生成する予約録画部２４３を有している。これらの各部は、データバスを介して制御部２３０に接続されている。更に、セレクタ部１７の出力は、外部の図示しない受像機に接続されるか、外部装置との通信を行うインタフェース部２２７を介して、外部装置に供給される。
【００２３】
更に、ソース機器３０は、データバスを介して制御部２３０に接続され、ユーザーの操作やリモコンＲ`の操作を受ける操作部２３２を有している。ここで、リモコンＲは、ソース機器３０の本体に設けられる操作部２３２とほぼ同等の操作を可能とするものであり、ハードディスクドライブ部２１８や光ディスクドライブ部２１９の記録再生指示や、編集指示、チューナの操作、予約録画の設定等の各種設定が可能である。
【００２４】
このような構成のソース機器３０において、光ディスクに例を取って、再生処理と記録処理の概要を説明する。すなわち、制御部２３０の制御下において、所定速度に回転される光ディスクＤは、レーザ光が照射されその反射光が光ピックアップにより検出され、これに基づく検出信号が出力される。この検出信号に基づいて、ＲＦ信号が生成され、データの読取処理に続いて再生処理が行われる。
【００２５】
又、光ディスクの記録処理は、制御部２３０の制御下において、例えば図示しない入力部を介しセレクタ部２１６を介して供給されたデータは、エンコーダ部２２１に供給され、コード化されて出力される。このコード化出力と制御部２３０の出力に応じて、レーザドライバの駆動電流が光ピックアップに供給され、光ディスクＤの記憶領域に照射することで、記録処理が行われるものである。
【００２６】
このように一実施形態であるシンク機器２０及びソース機器３０は、上述したようなテレビジョン装置やハードディスクレコーダ装置等で実施できるものである。しかしながら、これらの実施形態に限定されることはなく、多くの映像処理装置において適用することが可能である。
【００２７】
例えばソース機器３０は、IP電話機能を持つ録画再生装置として機能するように構成することができる。さて図１は、映像記録再生装置１０の概略機能構成図である。
【００２８】
IP電話機能を持つ録画再生装置である映像記録再生装置１０は、チューナー部１１、ユーザー操作入力部１２、リモコン受光部１３、ＣＰＵ１４、メモリ部１５、録画再生信号処理部１６、記録メディア１７を備えている。また、ＣＰＵ１４はメモリ部１５に展開されるソフトウェアの機能モジュールとして、（IP）電話処理部、IP電話コントローラ、通信処理部、表示処理部、更には図示せぬモニターへの連動設定を行う連動設定部を担っている。
【００２９】
このチューナー部１１は衛星放送チューナ部２１２または地上波チューナ部２１３に、ユーザー操作入力部１２は操作部２３２の一部に、リモコン受光部１３はリモコン通信部２３１と操作部２３２の一部に、ＣＰＵ１４は制御部２３０に、メモリ部１５は記憶部２３３に、録画再生信号処理部１６は制御部２３０他の関連要素に、記録メディア１７はハードディスクドライブ部２１８と、ディスクドライブ部２１９が扱う媒体に、それぞれ対応している。
【００３０】
さてソース機器のIP電話機能は、この機器で着信し、図1で接続された、カメラとマイク（Ｃ／Ｍ）を使って映像つきの電話機能を実現するものとなる。図1のシステムでは、モニター機能がないため、IP電話機能の映像音声を視聴するためには、着信したら、モニター機器の切換が必要となる。
【００３１】
また図２は、実施例１のシステムの接続形態であり実施例1の設定例を示す。この実施例1を図３のＣＰＵ１４主体のフローチャートを用いて説明する。IP電話機能を持つ録画再生装置と、それに接続されたTV(モニター)のシステムにおいて、録画再生装置は、図２のような、IP電話設定を機器内にもち、あらかじめ、ユーザーに設定されているものとする。
【００３２】
IP電話設定は、HDMI-CECの機能にIP電話着信時の録画再生装置の振る舞いを決定するもので、次の２通りの設定を有する。
「HDMI設定に含める」: これにより、IP電話着信時の入力切換動作を、HDMIの動作に含める。
「HDMI設定に含めない」: これにより、IP電話着信時の入力切換動作を、HDMIの動作に含めない。
さて、録画再生装置はIP電話を着信すると、IP電話着信処理を行う（ステップＳ３１）。
次に録画再生装置は、設定されているIP電話設定を確認する（ステップＳ３２）。
IP電話設定が「HDMI設定に含める」に設定されている場合、録画再生装置は、ＨＤＭＩ連動設定を確認してから（ステップＳ３３）、TV(モニター)を録画再生装置が接続されている入力に切り換えるとともに（ステップＳ３４、ステップＳ１３４：モニター側の処理）IP電話着信を知らせる画面を表示処理する（ステップＳ３５）。
【００３３】
これにより、ユーザーはTV(モニター)の画面が録画再生装置の表示を行っていない場合でも、IP電話を着信したことが自動的に分かり、TV(モニター)の入力切換をユーザーが行うことなく、IP電話機能を使用することができる。
【００３４】
一方、IP電話設定が「HDMI設定に含めない」に設定されている場合、ＨＤＭＩ連動設定が連動しないに設定されている場合も同様であるが（ステップＳ３３からステップＳ３５）、録画再生装置はIP電話の着信を知らせる画面を表示するのみとなる（ステップＳ３２からステップＳ３５）。本IP電話設定を設けることにより、例えば、ユーザーがTV(モニター)で映画等を鑑賞している場合で、IP電話着信に視聴の邪魔されたくない場合は、IP電話着信時でも自動的に入力の切換が発生せずに視聴を継続することができる。
【００３５】
この実施例1のように、モニター機能のない機器でも、IP電話機能搭載着信機器側の設定で入/切を設けることにより、IP電話の着信に対して、映像切換をすることなく、ワンタッチでIP電話着信応答ができるようになる。または着信不要な場合は、自動的には切り換えない設定にすることにより、ユーザー利便性が向上する。
【００３６】
（第２の実施形態）
第２の実施形態を図４および図５を参照して説明する。実施形態１と共通する部分は説明を省略する。
この実施例2を図５のＣＰＵ１４とシンク機器２０の制御部１３０主体のフローチャートを用いて説明する。
実施例１と同様にIP電話機能つき録画再生装置と、それに接続されたTV(モニター)のシステムにおいて、録画再生装置と、TV間であらかじめ機器内に（例えば各記憶部２３３と記憶部１３１に）、図４に示すような、メッセージIDと、そのIDに対応した任意の表示文字列を定めておく。
【００３７】
録画再生装置が、IP電話を受信した場合IP電話着信処理を行い（ステップＳ５１）、まずHDMI連動設定を確認する（ステップＳ５２）。ここでHDMI連動するに設定されている場合に、次に、実施例1で記述したIP電話連動設定を確認する（ステップＳ５３、ステップＳ１５３）。ここで、HDMI設定に含めるに設定されている場合にIP電話機能対応機器か確認して（ステップＳ５４）、録画再生装置が、HDMI-CECのコマンドを拡張するなどし、図4で定められた、任意のメッセージIDをTV側に送信する（ステップＳ５５）。ここでは、メッセージID=1を送信したとする。
【００３８】
メッセージIDを受信したTVは、メッセージIDに対応したメッセージをTV側のGUIを用いて表示する（ステップＳ１５５）。このとき、TV側の動作は基本的には、TV放送の視聴など、メッセージ表示以前の状態を継続するものとする。
【００３９】
ここでは、メッセージID=1に対応した、「着信があります。  Videoで応答しますか? [はい]  [いいえ]」を表示する。
TV側のメッセージ表示に従い、ユーザーが[はい]を選択する（ステップＳ１５６）と、TVは、この応答を録画再生装置に送信する（ステップＳ１５７）。
録画再生装置は、TVからの応答により（ステップＳ５７）、TVの入力を切換（ステップＳ５８、ステップＳ１５８）、IP電話通話を開始する（ステップＳ５９）。メッセージIDの内容と、応答の対応により、録画再生装置は、応答後の処理を決めておくものとする。なお、ステップＳ５２で連動しない場合、ステップＳ５４で非対応の場合やステップＳ５７で無反応の場合はIP電話着信表示に留め（ステップＳ６０）、処理を終了する。
【００４０】
この実施例2のように、着信機器側とモニター側の共通設計で、メッセージIDを準備して通信することにより、任意のメッセージをモニター側のみで表示が可能となり、着信表示をするために、映像入力を切り換えることなく、着信応答ができるようになる。
【００４１】
以上の実施例では、HDMI連動を例として実施例を説明したが、他の実施例及び／又は変形例としてLAN経由の独自コマンドを設けて使用するなどの手段により、機器間の連携は取れるものとし、手段は特に指定しない。
【００４２】
また、着信を受けた場合に、映像入力を切り換えるかどうかの設定を着信した機器だけでなく、表示装置(例えばテレビ)側に設けることもできる。この場合、表示機器の設定内容を着信器側に通知する機能を有するものであってもよい。
【００４３】
以上説明した実施例によれば次のような特徴を発揮することができる。
（１）IPビデオ電話機能搭載で、かつ表示(モニター)装置のない機器において、IPビデオ電話着信時に表示装置の映像入力を着信した機器側に切り換えるかどうかの設定を着信した機器側に持つことを特徴とする。
【００４４】
（２）上記（1）において、機器側に切り換えるかどうかの設定により、着信時に切り換える場合には、表示装置の映像入力を自動的に、着信機器に切り換える機能を持つことを特徴とする。
【００４５】
（３）IPビデオ電話機能搭載で、かつ表示(モニター)装置のない機器において、IPビデオ電話着信時にIPビデオ電話着信機器側から、表示装置に表示用のメッセージを送ることにより、表示装置側の表示手段で任意のテキストメッセージを表示する機能を持つことを特徴とする。
【００４６】
なお、この発明は上記実施形態に限定されるものではなく、この外その要旨を逸脱しない範囲で種々変形して実施することができる。
また、上記した実施の形態に開示されている複数の構成要素を適宜に組み合わせることにより、種々の発明を形成することができる。例えば、実施の形態に示される全構成要素から幾つかの構成要素を削除しても良いものである。さらに、異なる実施の形態に係わる構成要素を適宜組み合わせても良いものである。
【符号の説明】
【００４７】
２０…シンク機器、３０…ソース機器、１１１…通信部、１３０…制御部、１３１…記憶部、１４１…音声映像出力部、３０…ソース機器、２１１…通信部、２３０…制御部、２３３…記憶部。
【図１】
2013098752.tif 000003
【図２】
2013098752.tif 000004
【図３】
2013098752.tif 000005
【図４】
2013098752.tif 000006
【図５】
2013098752.tif 000007
【図６】
2013098752.tif 000008
【図７】
2013098752.tif 000009
【図８】
2013098752.tif 000010
【手続補正書】
【提出日】平成24年4月27日(2012.4.27)
【手続補正１】
【補正対象書類名】明細書
【補正対象項目名】全文
【補正方法】変更
【補正の内容】
【発明の詳細な説明】
【技術分野】
【０００１】
本発明の実施形態は、IP電話機能搭載機器などの着信を制御する映像処理装置及び映像処理方法に関する。
【背景技術】
【０００２】
音声通話及びデータ通信の少なくとも一方の着信時に、着信を報知する情報を含む着信情報信号をＨＤＭＩ規格に準拠させて生成し、ＨＤＭＩ規格に準拠した信号伝送が可能な外部機器と通信し、前記着信情報信号を前記外部機器に出力する携帯電話機なるものがある（例えば、特許文献１参照。）。
【０００３】
しかしながらこれは着信時に外部機器と通信する携帯電話に関するもので、更に着信時に外部機器と通信するか否かを設定する機能への要望があるが、かかる要望を実現するための手段に関しては開示されていない。
【０００４】
制御等の設定を設けることより、例えばIP電話機能着信時の機器間の制御を自動的に行うことが求められている。
【先行技術文献】
【特許文献】
【０００５】
【特許文献１】特開２００９−１８８７８２号公報
【発明の概要】
【発明が解決しようとする課題】
【０００６】
本発明の実施の形態は、電話着信時に外部機器と通信するか否かを設定することができる映像処理装置及び映像処理方法を提供することを目的とする。
【課題を解決するための手段】
【０００７】
上記課題を解決するために、実施形態によれば映像処理装置は、モニターへの連動設定を行う連動設定部と、IP電話着信処理を行う電話処理部と、前記連動設定に基づいて前記モニターへの映像指示を行う表示処理部とを備える。
【図面の簡単な説明】
【０００８】
【図１】この発明の一実施形態を示す機能ブロック構成図。
【図２】同実施形態の実施例1の設定例を示す図。
【図３】同実施形態の実施例1のフローチャート。
【図４】同実施形態の実施例2の設定例を示す図。
【図５】同実施形態の実施例2のフローチャート。
【図６】一実施形態にかかるシンク機器の映像処理装置とこれに接続されるソース機器の映像処理装置をもつ映像処理システムの一例を示すブロック図。
【図７】一実施形態にかかる映像処理装置が有しているＨＤＭＩ端子の信号名を示す説明図。
【図８】一実施形態にかかるソース機器である映像処理装置の構成の一例を示すブロック図。
【発明を実施するための形態】
【０００９】
以下、本発明の一実施形態を説明する。
（第１の実施形態）
第１の実施形態を図を参照して説明する。
＜一実施形態である映像処理システムの構成の一例＞
ソース機器３０等が示される、一実施形態である映像処理システムの構成の一例を図面を用いて説明する。先に図６は、実施形態にかかるシンク機器２０の映像処理装置とこれに接続されるソース機器３０の映像処理装置をもつ映像処理システムの一例を示すブロック図である。
【００１０】
一実施形態である映像処理システム１は、図６に示すように、ＨＤＭＩケーブル３０１で接続されたシンク機器２０とソース機器３０を有している。なお、ＨＤＭＩケーブル３０１は、映像音声信号の専用線３０２と、制御信号の専用線３０３をもっており、一例として、映像音声信号の専用線３０２は制御信号の専用線３０３より高速に通信を行なう。
【００１１】
シンク機器２０は、ソース機器３０からの映像音声情報を表示し出力するための機器であり、具体的には後述のテレビ等である。ソース機器３０は、映像音声情報をシンク機器２０へ供給するための機器であり、具体的には、ＤＶＤプレーヤあるいは後述のレコーダ等である。
【００１２】
シンク機器２０は、中央演算装置である制御部１３０を持ち、制御部１３０は、記憶部１３１と、ＥＤＩＤ変更部１１１−１を含む通信部１１１と、表示部１４１と、操作部１３２の制御を行う。記憶部１３１は、シンク機器２０自体の制御プログラムや音量・映像表示設定等（後述する）の各種設定情報を記憶する部分であり、具体的にはフラッシュメモリやハードディスクドライブ等である。
【００１３】
通信部１１１は、ソース機器３０からの映像・音声信号を受信するとともに、ソース機器３０を制御するためのコマンドを送信したり、ソース機器３０側からのコマンドを受信したりする部分である。具体的には、ＨＤＭＩ（High-Definition Multimedia Interface）や、有線ＬＡＮ（Local Area Network）、無線ＬＡＮ、Ｂｌｕｅｔｏｏｔｈ（登録商標）等である。ＨＤＭＩの場合は、制御コマンドの送受信にＣＥＣ（Consumer Electronics Control）ラインを用いる。
【００１４】
表示部１４１は、機器制御のためのメニュー画面やソース機器３０からの映像を表示したり音声再生を行う部分であり、具体的には、液晶パネルやスピーカ等である。
【００１５】
一方、ソース機器３０は、中央演算装置である制御部２３０を持ち、制御部２３０は、記憶部２３３、通信部２１１、操作部２３２の制御を行う。記憶部２３３は、ソース機器３０自体の制御プログラムや音量・映像表示設定等の各種設定情報を記憶したり、映像・音声信号を保持したりしている部分であり、具体的にはフラッシュメモリやハードディスクドライブ、ＤＶＤドライブ等である。
【００１６】
通信部２１１は、シンク機器２０へ映像・音声信号を送信するとともに、シンク機器２０を制御するためのコマンド（制御信号）を送信したり、シンク機器２０側からのコマンド（制御信号）を受信したりする部分である。ソース機器３０を制御するためのメニュー画面も、通信部２１１を経由した映像信号としてシンク機器２０へ送られる。シンク機器２０側の通信部１１１と接続可能なインタフェース規格で実装されている部分であり、具体的にはＨＤＭＩ、有線ＬＡＮ（Local Area Network）、無線ＬＡＮ、Ｂｌｕｅｔｏｏｔｈ（登録商標）等である。
【００１７】
・ＨＤＭＩ端子
図７は、本発明の一実施形態にかかる映像処理装置が有しているＨＤＭＩ端子の信号名を示す説明図である。
通信部１１１，２１１がＨＤＭＩである場合、ＨＤＭＩ端子は、図７に示すようなコネクタピン配列を有している。特に１３ピンのＣＥＣ信号によって、ＨＤＭＩ−ＣＥＣプロトコルに準拠して定義されたコマンドを送受信することで、相手機器の制御が可能となる。
【００１８】
＜一実施形態である映像処理システムの具体的な一例＞
次に、上述した映像処理システムの具体的な一例を図面を用いて以下に紹介する。図８は、一実施形態にかかるソース側の映像処理装置の構成の一例を示すブロック図である。
【００１９】
・ソース機器３０
ソース機器３０は、図８に示すように、一例として、ＤＶＤを扱うハードディスクレコーダである。ソース機器３０は、図８に示すように、２種類のディスクドライブ部を有する。まず、ビデオファイルを構築できる情報記録媒体である第１のメディアとしての光ディスクＤを回転駆動し、情報の読み書きを実行する光ディスクドライブ部２１９を有する。ここで、光ディスクＤは、一例として、ＤＶＤであるがこれに限定されるものではない。又、第２のメディアとしてのハードディスクを駆動するハードディスクドライブ部２１８を有する。制御部２３０は、全体の動作を司るべくデータバスを介して各部に接続されている。
【００２０】
又、図８に示されるソース機器３０は、録画側を構成するエンコーダ部２２１と、再生側を構成するＭＰＥＧデコーダ部２２３と、装置本体の動作を制御する制御部２３０とを主たる構成要素としている。ソース機器３０は、入力側のセレクタ部２１６と出力側のセレクタ部２１７とを有しており、入力側のセレクタ部２１６には、ＬＡＮ等の通信部２１１と、いわゆる衛星放送（ＢＳ／ＣＳ）チューナ部２１２と、いわゆる地上波チューナ部２１３とが接続され、エンコーダ部２２１に信号を出力する。又、衛星放送チューナ部２１２には衛星アンテナが、地上波チューナ部２１３には地上波アンテナが接続される。
【００２１】
又、ソース機器３０は、エンコーダ部２２１と、エンコーダ部２２１の出力を受け、データ編集等の所望のデータ処理を行うデータ編集部２２０と、データ編集部２２０に接続されるハードディスクドライブ部２１８と、光ディスクドライブ部２１９を有している。更に、ソース機器３０は、ハードディスクドライブ部２１８と、光ディスクドライブ部２１９からの信号を受けてデコードするＭＰＥＧデコーダ部２２３と、エンコーダ部２２１と、バッファ部２２２と、ＭＰＥＧデコーダ部２２３と、多重化部２２８と、分離部２２９と、制御部２３０と、映像画面に所望の映像を合成するＯＳＤ部２３４と、予約リストや番組表画像を生成する予約録画部２４３を有している。これらの各部は、データバスを介して制御部２３０に接続されている。更に、セレクタ部１７の出力は、外部の図示しない受像機に接続されるか、外部装置との通信を行うインタフェース部２２７を介して、外部装置に供給される。
【００２２】
更に、ソース機器３０は、データバスを介して制御部２３０に接続され、ユーザーの操作やリモコンＲ`の操作を受ける操作部２３２を有している。ここで、リモコンＲは、ソース機器３０の本体に設けられる操作部２３２とほぼ同等の操作を可能とするものであり、ハードディスクドライブ部２１８や光ディスクドライブ部２１９の記録再生指示や、編集指示、チューナの操作、予約録画の設定等の各種設定が可能である。
【００２３】
このような構成のソース機器３０において、光ディスクに例を取って、再生処理と記録処理の概要を説明する。すなわち、制御部２３０の制御下において、所定速度に回転される光ディスクＤは、レーザ光が照射されその反射光が光ピックアップにより検出され、これに基づく検出信号が出力される。この検出信号に基づいて、ＲＦ信号が生成され、データの読取処理に続いて再生処理が行われる。
【００２４】
又、光ディスクの記録処理は、制御部２３０の制御下において、例えば図示しない入力部を介しセレクタ部２１６を介して供給されたデータは、エンコーダ部２２１に供給され、コード化されて出力される。このコード化出力と制御部２３０の出力に応じて、レーザドライバの駆動電流が光ピックアップに供給され、光ディスクＤの記憶領域に照射することで、記録処理が行われるものである。
【００２５】
このように一実施形態であるシンク機器２０及びソース機器３０は、上述したようなテレビジョン装置やハードディスクレコーダ装置等で実施できるものである。しかしながら、これらの実施形態に限定されることはなく、多くの映像処理装置において適用することが可能である。
【００２６】
例えばソース機器３０は、IP電話機能を持つ録画再生装置として機能するように構成することができる。さて図１は、映像記録再生装置１０の概略機能構成図である。
【００２７】
IP電話機能を持つ録画再生装置である映像記録再生装置１０は、チューナー部１１、ユーザー操作入力部１２、リモコン受光部１３、ＣＰＵ１４、メモリ部１５、録画再生信号処理部１６、記録メディア１７を備えている。また、ＣＰＵ１４はメモリ部１５に展開されるソフトウェアの機能モジュールとして、（IP）電話処理部、IP電話コントローラ、通信処理部、表示処理部、更には図示せぬモニターへの連動設定を行う連動設定部を担っている。
【００２８】
このチューナー部１１は衛星放送チューナ部２１２または地上波チューナ部２１３に、ユーザー操作入力部１２は操作部２３２の一部に、リモコン受光部１３はリモコン通信部２３１と操作部２３２の一部に、ＣＰＵ１４は制御部２３０に、メモリ部１５は記憶部２３３に、録画再生信号処理部１６は制御部２３０他の関連要素に、記録メディア１７はハードディスクドライブ部２１８と、ディスクドライブ部２１９が扱う媒体に、それぞれ対応している。
【００２９】
さてソース機器のIP電話機能は、この機器で着信し、図1で接続された、カメラとマイク（Ｃ／Ｍ）を使って映像つきの電話機能を実現するものとなる。図1のシステムでは、モニター機能がないため、IP電話機能の映像音声を視聴するためには、着信したら、モニター機器の切換が必要となる。
【００３０】
また図２は、実施例１のシステムの接続形態であり実施例1の設定例を示す。この実施例1を図３のＣＰＵ１４主体のフローチャートを用いて説明する。IP電話機能を持つ録画再生装置と、それに接続されたTV(モニター)のシステムにおいて、録画再生装置は、図２のような、IP電話設定を機器内にもち、あらかじめ、ユーザーに設定されているものとする。
【００３１】
IP電話設定は、HDMI-CECの機能にIP電話着信時の録画再生装置の振る舞いを決定するもので、次の２通りの設定を有する。
「HDMI設定に含める」: これにより、IP電話着信時の入力切換動作を、HDMIの動作に含める。
「HDMI設定に含めない」: これにより、IP電話着信時の入力切換動作を、HDMIの動作に含めない。
さて、録画再生装置はIP電話を着信すると、IP電話着信処理を行う（ステップＳ３１）。
次に録画再生装置は、設定されているIP電話設定を確認する（ステップＳ３２）。
IP電話設定が「HDMI設定に含める」に設定されている場合、録画再生装置は、ＨＤＭＩ連動設定を確認してから（ステップＳ３３）、TV(モニター)を録画再生装置が接続されている入力に切り換えるとともに（ステップＳ３４、ステップＳ１３４：モニター側の処理）IP電話着信を知らせる画面を表示処理する（ステップＳ３５）。
【００３２】
これにより、ユーザーはTV(モニター)の画面が録画再生装置の表示を行っていない場合でも、IP電話を着信したことが自動的に分かり、TV(モニター)の入力切換をユーザーが行うことなく、IP電話機能を使用することができる。
【００３３】
一方、IP電話設定が「HDMI設定に含めない」に設定されている場合、ＨＤＭＩ連動設定が連動しないに設定されている場合も同様であるが（ステップＳ３３からステップＳ３５）、録画再生装置はIP電話の着信を知らせる画面を表示するのみとなる（ステップＳ３２からステップＳ３５）。本IP電話設定を設けることにより、例えば、ユーザーがTV(モニター)で映画等を鑑賞している場合で、IP電話着信に視聴の邪魔されたくない場合は、IP電話着信時でも自動的に入力の切換が発生せずに視聴を継続することができる。
【００３４】
この実施例1のように、モニター機能のない機器でも、IP電話機能搭載着信機器側の設定で入/切を設けることにより、IP電話の着信に対して、映像切換をすることなく、ワンタッチでIP電話着信応答ができるようになる。または着信不要な場合は、自動的には切り換えない設定にすることにより、ユーザー利便性が向上する。
【００３５】
（第２の実施形態）
第２の実施形態を図４および図５を参照して説明する。実施形態１と共通する部分は説明を省略する。
この実施例2を図５のＣＰＵ１４とシンク機器２０の制御部１３０主体のフローチャートを用いて説明する。
実施例１と同様にIP電話機能つき録画再生装置と、それに接続されたTV(モニター)のシステムにおいて、録画再生装置と、TV間であらかじめ機器内に（例えば各記憶部２３３と記憶部１３１に）、図４に示すような、メッセージIDと、そのIDに対応した任意の表示文字列を定めておく。
【００３６】
録画再生装置が、IP電話を受信した場合IP電話着信処理を行い（ステップＳ５１）、まずHDMI連動設定を確認する（ステップＳ５２）。ここでHDMI連動するに設定されている場合に、次に、実施例1で記述したIP電話連動設定を確認する（ステップＳ５３、ステップＳ１５３）。ここで、HDMI設定に含めるに設定されている場合にIP電話機能対応機器か確認して（ステップＳ５４）、録画再生装置が、HDMI-CECのコマンドを拡張するなどし、図4で定められた、任意のメッセージIDをTV側に送信する（ステップＳ５５）。ここでは、メッセージID=1を送信したとする。
【００３７】
メッセージIDを受信したTVは、メッセージIDに対応したメッセージをTV側のGUIを用いて表示する（ステップＳ１５５）。このとき、TV側の動作は基本的には、TV放送の視聴など、メッセージ表示以前の状態を継続するものとする。
【００３８】
ここでは、メッセージID=1に対応した、「着信があります。  Videoで応答しますか? [はい]  [いいえ]」を表示する。
TV側のメッセージ表示に従い、ユーザーが[はい]を選択する（ステップＳ１５６）と、TVは、この応答を録画再生装置に送信する（ステップＳ１５７）。
録画再生装置は、TVからの応答により（ステップＳ５７）、TVの入力を切換（ステップＳ５８、ステップＳ１５８）、IP電話通話を開始する（ステップＳ５９）。メッセージIDの内容と、応答の対応により、録画再生装置は、応答後の処理を決めておくものとする。なお、ステップＳ５２で連動しない場合、ステップＳ５４で非対応の場合やステップＳ５７で無反応の場合はIP電話着信表示に留め（ステップＳ６０）、処理を終了する。
【００３９】
この実施例2のように、着信機器側とモニター側の共通設計で、メッセージIDを準備して通信することにより、任意のメッセージをモニター側のみで表示が可能となり、着信表示をするために、映像入力を切り換えることなく、着信応答ができるようになる。
【００４０】
以上の実施例では、HDMI連動を例として実施例を説明したが、他の実施例及び／又は変形例としてLAN経由の独自コマンドを設けて使用するなどの手段により、機器間の連携は取れるものとし、手段は特に指定しない。
【００４１】
また、着信を受けた場合に、映像入力を切り換えるかどうかの設定を着信した機器だけでなく、表示装置(例えばテレビ)側に設けることもできる。この場合、表示機器の設定内容を着信器側に通知する機能を有するものであってもよい。
【００４２】
以上説明した実施例によれば次のような特徴を発揮することができる。
（１）IPビデオ電話機能搭載で、かつ表示(モニター)装置のない機器において、IPビデオ電話着信時に表示装置の映像入力を着信した機器側に切り換えるかどうかの設定を着信した機器側に持つことを特徴とする。
【００４３】
（２）上記（1）において、機器側に切り換えるかどうかの設定により、着信時に切り換える場合には、表示装置の映像入力を自動的に、着信機器に切り換える機能を持つことを特徴とする。
【００４４】
（３）IPビデオ電話機能搭載で、かつ表示(モニター)装置のない機器において、IPビデオ電話着信時にIPビデオ電話着信機器側から、表示装置に表示用のメッセージを送ることにより、表示装置側の表示手段で任意のテキストメッセージを表示する機能を持つことを特徴とする。
【００４５】
なお、この発明は上記実施形態に限定されるものではなく、この外その要旨を逸脱しない範囲で種々変形して実施することができる。
また、上記した実施の形態に開示されている複数の構成要素を適宜に組み合わせることにより、種々の発明を形成することができる。例えば、実施の形態に示される全構成要素から幾つかの構成要素を削除しても良いものである。さらに、異なる実施の形態に係わる構成要素を適宜組み合わせても良いものである。
【符号の説明】
【００４６】
２０…シンク機器、３０…ソース機器、１１１…通信部、１３０…制御部、１３１…記憶部、１４１…音声映像出力部、３０…ソース機器、２１１…通信部、２３０…制御部、２３３…記憶部。